【手続補正書】
【提出日】平成29年8月15日(2017.8.15)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
目標プリアンブル受信パワーレベルおよび最大プリアンブル送信パワーレベルに基づいて、パワーの差の値を決定することと、
前記決定されたパワーの差の値に基づいて、アップリンク伝送のためのバンドリングサイズを選択することと、
前記選択されたバンドリングサイズに従って前記アップリンク伝送を送信することと、
を備える方法。
【請求項２】
前記パワーの差の値は、また、ダウンリンク経路損失の推定に基づく、請求項１に記載の方法。
【請求項３】
前記アップリンク伝送は、ＲＡＣＨプリアンブル伝送を備える、請求項１に記載の方法。
【請求項４】
前記ＲＡＣＨプリアンブル伝送は、ＲＡＣＨ反復シーケンスを備える、請求項３に記載の方法。
【請求項５】
アップリンク伝送のためのバンドリングサイズが、前記パワーの差の値がゼロよりも大きい場合にのみ、前記決定されたパワーの差の値に基づいて選択される、請求項３に記載の方法。
【請求項６】
ユーザ機器（ＵＥ）によるワイヤレス通信のための方法であって、
第１のアップリンク伝送を或るパワーレベルおよび或るバンドリングサイズで送信することと、
前記第１のアップリンク伝送が失敗した場合に、１つまたは複数の後続のアップリンク伝送のための前記バンドリングサイズを調節することと、
を備える方法。
【請求項７】
前記第１のアップリンク伝送は、ＲＡＣＨプリアンブル伝送を備える、請求項６に記載の方法。
【請求項８】
前記ＲＡＣＨプリアンブル伝送は、ＲＡＣＨ反復シーケンスを備える、請求項７に記載の方法。
【請求項９】
１つまたは複数の後続のアップリンク伝送のための前記バンドリングサイズを調節することが、
目標プリアンブル受信パワーレベルおよび最大プリアンブル送信パワーレベルに基づいて、パワーの差の値を決定することと、
前記決定されたパワーの差の値に基づいて、アップリンク伝送のためのバンドリングサイズを選択することと、
を備える、請求項６に記載の方法。
【請求項１０】
１つまたは複数の後続のアップリンク伝送のための前記バンドリングサイズを調節することが、
先行するアップリンク伝送のための送信パワーが所定のレベルに達した後で、１つまたは複数の後続のアップリンク伝送のための前記バンドリングサイズを調節すること、
を備える、請求項６に記載の方法。
【請求項１１】
前記所定のレベルは、最大アップリンク送信パワーレベルに相当する、請求項１０に記載の方法。
【請求項１２】
前記バンドリングサイズを増大した後に、後続のアップリンク伝送のための送信パワーを低減すること、
をさらに備える、請求項１０に記載の方法。
【請求項１３】
ユーザ機器（ＵＥ）によるワイヤレス通信のための方法であって、
バンドリングなしのアップリンク伝送のための第１の値およびバンドリングを用いるアップリンク伝送のための第２の値を有する送信パワーレベルパラメータに少なくとも部分的に基づいて、アップリンク伝送のための送信パワーレベルを決定することと、
前記決定された送信パワーレベルに従って、前記アップリンク伝送を送信することと、
を備える方法。
【請求項１４】
前記アップリンク伝送は、物理アップリンク共有チャネル（ＰＵＳＣＨ）伝送を備える、請求項１３に記載の方法。
【請求項１５】
ブロードキャストシステム情報ブロック（ＳＩＢ）において前記第１および第２の値のうちの少なくとも１つを受信することをさらに備える、請求項１３に記載の方法。
【手続補正２】
【補正対象書類名】明細書
【補正対象項目名】００９０
【補正方法】変更
【補正の内容】
【００９０】
[0101]本開示のこれまでの説明は、本開示の製作または使用を当業者にとって可能にするために提示されている。本開示の種々の変更が、当業者にとって容易に明らかであり、本明細書に定められる全体的な原理は、本開示の技術的思想または技術的範囲から離れることなく他の変形にも適用され得る。したがって、本開示は、本明細書に記載の例および設計に限られるものではなく、本明細書に開示の原理および新規な特徴に矛盾しない最も広い範囲が与えられるべきである。
以下に本願の出願当初の特許請求の範囲に記載された発明を付記する。
［Ｃ１］
ユーザ機器（ＵＥ）によるワイヤレス通信のための方法であって、
目標プリアンブル受信パワーレベルおよび最大プリアンブル送信パワーレベルに基づいて、パワーの差の値を決定することと、
前記決定されたパワーの差の値に基づいて、アップリンク伝送のためのバンドリングサイズを選択することと、
前記選択されたバンドリングサイズに従って前記アップリンク伝送を送信することと、
を備える方法。
［Ｃ２］
前記パワーの差の値は、また、ダウンリンク経路損失の推定に基づく、Ｃ１に記載の方法。
［Ｃ３］
前記アップリンク伝送は、ＲＡＣＨプリアンブル伝送を備える、Ｃ１に記載の方法。
［Ｃ４］
前記ＲＡＣＨプリアンブル伝送は、ＲＡＣＨ反復シーケンスを備える、Ｃ３に記載の方法。
［Ｃ５］
アップリンク伝送のためのバンドリングサイズが、前記パワーの差の値がゼロよりも大きい場合にのみ、前記決定されたパワーの差の値に基づいて選択される、Ｃ３に記載の方法。
［Ｃ６］
ユーザ機器（ＵＥ）によるワイヤレス通信のための方法であって、
第１のアップリンク伝送を或るパワーレベルおよび或るバンドリングサイズで送信することと、
前記第１のアップリンク伝送が失敗した場合に、１つまたは複数の後続のアップリンク伝送のための前記バンドリングサイズを調節することと、
を備える方法。
［Ｃ７］
前記第１のアップリンク伝送は、ＲＡＣＨプリアンブル伝送を備える、Ｃ６に記載の方法。
［Ｃ８］
前記ＲＡＣＨプリアンブル伝送は、ＲＡＣＨ反復シーケンスを備える、Ｃ７に記載の方法。
［Ｃ９］
１つまたは複数の後続のアップリンク伝送のための前記バンドリングサイズを調節することが、
目標プリアンブル受信パワーレベルおよび最大プリアンブル送信パワーレベルに基づいて、パワーの差の値を決定することと、
前記決定されたパワーの差の値に基づいて、アップリンク伝送のためのバンドリングサイズを選択することと、
を備える、Ｃ６に記載の方法。
［Ｃ１０］
１つまたは複数の後続のアップリンク伝送のための前記バンドリングサイズを調節することが、
先行するアップリンク伝送のための送信パワーが所定のレベルに達した後で、１つまたは複数の後続のアップリンク伝送のための前記バンドリングサイズを調節すること、
を備える、Ｃ６に記載の方法。
［Ｃ１１］
前記所定のレベルは、最大アップリンク送信パワーレベルに相当する、Ｃ１０に記載の方法。
［Ｃ１２］
前記バンドリングサイズを増大した後に、後続のアップリンク伝送のための送信パワーを低減すること、
をさらに備える、Ｃ１０に記載の方法。
［Ｃ１３］
ユーザ機器（ＵＥ）によるワイヤレス通信のための方法であって、
バンドリングなしのアップリンク伝送のための第１の値およびバンドリングを用いるアップリンク伝送のための第２の値を有する送信パワーレベルパラメータに少なくとも部分的に基づいて、アップリンク伝送のための送信パワーレベルを決定することと、
前記決定された送信パワーレベルに従って、前記アップリンク伝送を送信することと、
を備える方法。
［Ｃ１４］
前記アップリンク伝送は、ＲＡＣＨプリアンブル伝送を備える、Ｃ１３に記載の方法。
［Ｃ１５］
前記ＲＡＣＨプリアンブル伝送は、ＲＡＣＨ反復シーケンスを備える、Ｃ１４に記載の方法。
［Ｃ１６］
前記アップリンク伝送は、物理アップリンク共有チャネル（ＰＵＳＣＨ）伝送を備える、Ｃ１３に記載の方法。
［Ｃ１７］
ブロードキャストシステム情報ブロック（ＳＩＢ）において前記第１および第２の値のうちの少なくとも１つを受信することをさらに備える、Ｃ１３に記載の方法。
［Ｃ１８］
ユーザ機器（ＵＥ）によるワイヤレス通信のための方法であって、
ランダムアクセスチャネル（ＲＡＣＨ）プロシージャに使用すべきバンドリングサイズを決定することと、ここにおいて、異なるバンドリングサイズが、競合ベースおよび非競合ベースのＲＡＣＨプロシージャについて使用される、
前記決定されたバンドリングサイズに従って、前記ＲＡＣＨプロシージャを実行することと、
を備える方法。
［Ｃ１９］
競合ベースのＲＡＣＨプロシージャのためのバンドリングサイズが、ダウンリンク経路損失の推定に少なくとも部分的に基づいて決定される、Ｃ１８に記載の方法。
［Ｃ２０］
非競合ベースのＲＡＣＨプロシージャのためのバンドリングサイズが、基地局によって示される、Ｃ１８に記載の方法。
［Ｃ２１］
前記ＲＡＣＨプロシージャは、基地局によって指示され、
前記基地局は、物理ダウンリンク制御チャネル（ＰＤＣＣＨ）において前記ＲＡＣＨプロシージャのために使用すべきバンドリングサイズを示す、
Ｃ１８に記載の方法。